(57)【要約】【課題】可変定電圧（電力）電源で複数定電圧を高速に切換えて供給する。【解決手段】駆動電力が異なるＬＥＤ26、ＬＥＤ27、ＬＤ18と、ＬＥＤ26用定電圧Vr、ＬＥＤ27用定電圧Vb、ＬＤ18用定電圧Vgを循環的に切換え出力する第１DC/DCコンバータ62と、第１DC/DCコンバータ62の定電圧Vrから定電圧Vbへの遷移期間を含み定電圧Vgを、第１DC/DCコンバータ62の定電圧Vbから定電圧Vgへの遷移期間を含み定電圧Vrを、第１DC/DCコンバータ62の定電圧Vgから定電圧Vrへの遷移期間を含み定電圧Vbを、循環的に切換え出力する第２DC/DCコンバータ63と、DC/DCコンバータ62,63の出力を交互に切換え、ＬＥＤ26に遷移期間を含まない定電圧Vrを、ＬＤ18に遷移期間を含まない定電圧Vgを、ＬＥＤ27に遷移期間を含まない定電圧Vbを供給するスイッチング制御部64Ｂとを備える。【選択図】図３
2014023353.tif 000002
【特許請求の範囲】
【請求項１】
ｊ（ｊは２以上の自然数）種類の電力を切換えて供給する第１の可変定電力電源と、
ｋ（ｋは２以上の自然数）種類の電力を切換えて供給する第２の可変定電力電源と、
上記第１及び第２の可変定電力電源をそれぞれの電力遷移期間を外すように選択して切換えて定電力を負荷に供給させる切換制御手段と
を具備したことを特徴とする電源装置。
【請求項２】
上記切換制御手段は、上記第１の可変定電力電源と上記第２の可変電力電源とを交互に周期的に選択するように切換えることを特徴とする請求項１記載の電源装置。
【請求項３】
上記第１の可変定電力電源を上記ｊ種類の電力で、上記第２の可変定電力電源を上記ｋ種類の電力でそれぞれ電力遷移期間が重ならないように制御する電力制御手段をさらに具備したことを特徴とする請求項１または２記載の電源装置。
【請求項４】
上記切換制御手段により負荷に電力を供給していない第１及び第２の可変定電力電源の一方を休止させる休止制御手段をさらに具備したことを特徴とする請求項１乃至３いずれか記載の電源装置。
【請求項５】
上記切換制御手段は、複数のスイッチング素子を含み、当該複数のスイッチング素子を相互にずらして導通させ、上記第１及び第２の可変定電力電源の少なくとも一方の出力する定電力を負荷に供給させることを特徴とする請求項１乃至４いずれか記載の電源装置。
【請求項６】
上記負荷は半導体発光素子であることを特徴とする請求項１乃至５いずれか記載の電源装置。
【請求項７】
それぞれ駆動電力が異なる第１乃至第３の負荷に電力を供給する電源装置であって、
上記第１の負荷用の第１の定電力、上記第２の負荷用の第２の定電力、及び上記第３の負荷用の第３の定電力を、各定電力間の遷移期間を経て循環的に切換えて出力する第１の可変定電力電源と、
上記第１の可変定電力電源の上記第１の定電力から上記第２の定電力への遷移期間を含んで上記第３の定電力を、上記第１の可変定電力電源の上記第２の定電力から上記第３の定電力への遷移期間を含んで上記第１の定電力を、上記第１の可変定電力電源の上記第３の定電力から上記第１の定電力への遷移期間を含んで上記第２の定電力を、各定電力間の遷移期間を経て循環的に切換えて出力する第２の可変定電力電源と、
上記第１の負荷に、上記第１及び第２の可変定電力電源からそれぞれ上記遷移期間を含まない上記第１の定電力を交互に供給し、上記第２の負荷に、上記第１及び第２の可変定電力電源からそれぞれ上記遷移期間を含まない上記第２の定電力を交互に供給し、上記第３の負荷に、上記第１及び第２の可変定電力電源からそれぞれ上記遷移期間を含まない上記第３の定電力を交互に供給するように、上記第１及び第２の可変定電力電源の出力を切換える切換制御手段と
を具備したことを特徴とする電源装置。
【請求項８】
上記切換制御手段は、上記第１及び第２の可変定電力電源の出力する第１乃至第３の定電力のいずれかを間断なく上記第１乃至第３の負荷のいずれかに供給させることを特徴とする請求項７記載の電源装置。
【請求項９】
上記第１及び上記第２の可変電力電源をそれぞれ上記３種類の定電力でそれぞれ電力遷移期間が重ならないように制御する電力制御手段をさらに具備したことを特徴とする請求項７または８記載の電源装置。
【請求項１０】
上記切換制御手段により負荷に定電力を供給していない第１及び第２の可変電力電源の一方を休止させる休止制御手段をさらに具備したことを特徴とする請求項７乃至９いずれか記載の電源装置。
【請求項１１】
上記切換制御手段は、６個のスイッチング素子の切換タイミングを相互にずらして操作し、上記第１及び第２の可変定電力電源の少なくとも一方の出力する定電力を負荷に供給させることを特徴とする請求項１乃至４いずれか記載の電源装置。
【請求項１２】
上記第１乃至第３の負荷は半導体発光素子であることを特徴とする請求項７乃至１１いずれか記載の電源装置。
【請求項１３】
ｊ（ｊは２以上の自然数）種類の電力を切換えて供給する第１の可変定電力電源、ｋ（ｋは２以上の自然数）種類の電力を切換えて供給する第２の可変定電力電源、及び上記第１及び第２の可変定電力電源をそれぞれの電力遷移期間を外すように選択して切換えて定電力を供給させる切換制御手段を備えた電源部と、
上記電源部から供給される電力により動作する負荷と
を具備したことを特徴とする電子機器。
【請求項１４】
それぞれ駆動電力が異なる第１乃至第３の負荷に電力を供給する電源部を備えた電子機器であって、
上記電源部は、
上記第１の負荷用の第１の定電力、上記第２の負荷用の第２の定電力、及び上記第３の負荷用の第３の定電力を、各定電力間の遷移期間を経て循環的に切換えて出力する第１の可変定電力電源と、
上記第１の可変定電力電源の上記第１の定電力から上記第２の定電力への遷移期間を含んで上記第３の定電力を、上記第１の可変定電力電源の上記第２の定電力から上記第３の定電力への遷移期間を含んで上記第１の定電力を、上記第１の可変定電力電源の上記第３の定電力から上記第１の定電力への遷移期間を含んで上記第２の定電力を、各定電力間の遷移期間を経て循環的に切換えて出力する第２の可変定電力電源と、
上記第１の負荷に、上記第１及び第２の可変定電力電源からそれぞれ上記遷移期間を含まない上記第１の定電力を交互に供給し、上記第２の負荷に、上記第１及び第２の可変定電力電源からそれぞれ上記遷移期間を含まない上記第２の定電力を交互に供給し、上記第３の負荷に、上記第１及び第２の可変定電力電源からそれぞれ上記遷移期間を含まない上記第３の定電力を交互に供給するように、上記第１及び第２の可変定電力電源の出力を切換える切換制御手段と
を含むことを特徴とする電子機器。
【請求項１５】
ｊ（ｊは２以上の自然数）種類の電力を切換えて供給する第１の可変定電力電源と、ｋ（ｋは２以上の自然数）種類の電力を切換えて供給する第２の可変定電力電源とを備えた装置での電源制御方法であって、
上記第１及び第２の可変定電力電源をそれぞれの電力遷移期間を外すように選択して切換えて定電力を負荷に供給させる切換制御工程を有したことを特徴とする電源制御方法。
【請求項１６】
それぞれ駆動電力が異なる第１乃至第３の負荷に電力を供給する電源部を備えた装置での電源制御方法であって、
上記電源部は、上記第１の負荷用の第１の定電力、上記第２の負荷用の第２の定電力、及び上記第３の負荷用の第３の定電力を、各定電力間の遷移期間を経て循環的に切換えて出力する第１の可変定電力電源と、上記第１の可変定電力電源の上記第１の定電力から上記第２の定電力への遷移期間を含んで上記第３の定電力を、上記第１の可変定電力電源の上記第２の定電力から上記第３の定電力への遷移期間を含んで上記第１の定電力を、上記第１の可変定電力電源の上記第３の定電力から上記第１の定電力への遷移期間を含んで上記第２の定電力を、各定電力間の遷移期間を経て循環的に切換えて出力する第２の可変定電力電源とを含み、
上記第１の負荷に、上記第１及び第２の可変定電力電源からそれぞれ上記遷移期間を含まない上記第１の定電力を交互に供給し、上記第２の負荷に、上記第１及び第２の可変定電力電源からそれぞれ上記遷移期間を含まない上記第２の定電力を交互に供給し、上記第３の負荷に、上記第１及び第２の可変定電力電源からそれぞれ上記遷移期間を含まない上記第３の定電力を交互に供給するように、上記第１及び第２の可変定電力電源の出力を切換える切換制御工程を有した
ことを特徴とする電源制御方法。
【発明の詳細な説明】
【技術分野】
【０００１】
本発明は、特にＤＬＰ（Ｄｉｇｉｔａｌ  Ｌｉｇｈｔ  Ｐｒｏｃｅｓｓｉｎｇ）（登録商標）方式のプロジェクタなどの電子機器に好適な電源装置、電子機器及び電源制御方法に関する。
【背景技術】
【０００２】
各種コンピュータを含めて多くの電子機器では、電源として複数の安定した直流電圧が必要であるため、必要とされる直流電圧の数だけ、ＤＣ／ＤＣコンバータを装備する必要がある。
【０００３】
これに対して、ＤＣ／ＤＣコンバータの数を減らすための技術も考えられている。（例えば、特許文献１）
【先行技術文献】
【特許文献】
【０００４】
【特許文献１】特開２００８−２３４８４２号公報
【発明の概要】
【発明が解決しようとする課題】
【０００５】
上記特許文献には、赤色光を射出する光射出部、緑色光を射出する光射出部、及び青色光を射出する光射出部を有する光源と、各光射出部の少なくとも１つの固体光源と直列に接続されるスイッチング部と、固体光源に共通して接続され、光源を駆動する可変定電圧電源と、スイッチング部のオン／オフを切換えるスイッチング調整部を有する光源調整部とを含むようにした技術が記載されている。
【０００６】
上記特許文献に記載された技術を用いて、時系列に連続的に電圧が変動するような電源が必要な機器に適用する場合、電圧切換時の電圧値が遷移する期間中は、電圧値が安定しないため、当該電源によって駆動される後段の負荷回路に所望の動作をさせることができず、例えば、負荷回路を一時的に停止させるといった制御が必要になる場合があった。
【０００７】
本発明は上記のような実情に鑑みてなされたもので、その目的とするところは、複数の定電力を高速に切換えて供給することが可能な電源装置、電子機器及び電源制御方法を提供することにある。
【課題を解決するための手段】
【０００８】
本発明の第１の観点の電源装置は、ｊ（ｊは２以上の自然数）種類の電力を切換えて供給する第１の可変定電力電源と、ｋ（ｋは２以上の自然数）種類の電力を切換えて供給する第２の可変定電力電源と、上記第１及び第２の可変定電力電源をそれぞれの電力遷移期間を外すように選択して切換えて定電力を負荷に供給させる切換制御手段とを具備したことを特徴とする。
【０００９】
本発明の第２の観点の電源装置は、それぞれ駆動電力が異なる第１乃至第３の負荷に電力を供給する電源装置であって、上記第１の負荷用の第１の定電力、上記第２の負荷用の第２の定電力、及び上記第３の負荷用の第３の定電力を、各定電力間の遷移期間を経て循環的に切換えて出力する第１の可変定電力電源と、上記第１の可変定電力電源の上記第１の定電力から上記第２の定電力への遷移期間を含んで上記第３の定電力を、上記第１の可変定電力電源の上記第２の定電力から上記第３の定電力への遷移期間を含んで上記第１の定電力を、上記第１の可変定電力電源の上記第３の定電力から上記第１の定電力への遷移期間を含んで上記第２の定電力を、各定電力間の遷移期間を経て循環的に切換えて出力する第２の可変定電力電源と、上記第１の負荷に、上記第１及び第２の可変定電力電源からそれぞれ上記遷移期間を含まない上記第１の定電力を交互に供給し、上記第２の負荷に、上記第１及び第２の可変定電力電源からそれぞれ上記遷移期間を含まない上記第２の定電力を交互に供給し、上記第３の負荷に、上記第１及び第２の可変定電力電源からそれぞれ上記遷移期間を含まない上記第３の定電力を交互に供給するように、上記第１及び第２の可変定電力電源の出力を切換える切換制御手段とを具備したことを特徴とする。
【発明の効果】
【００１０】
本発明によれば、複数の定電力を高速に切換えて供給することが可能となる。
【図面の簡単な説明】
【００１１】
【図１】本発明の一実施形態に係るプロジェクタ装置の電子回路と光学系統の構成を示す図。
【図２】同実施形態に係る光学系の具体的な構成例を示す図。
【図３】同実施形態に係る半導体発光素子と電源系の接続構成を示す図。
【図４】同実施形態に係る半導体発光素子に供給する電力の遷移状態を示すタイミングチャート。
【図５】本発明の他の実施形態に係る負荷と電源系の接続構成を示す図。
【図６】同実施形態に係る負荷に供給する電力の遷移状態を示すタイミングチャート。
【発明を実施するための形態】
【００１２】
（一実施形態）  
以下本発明をＤＬＰ（登録商標）方式のプロジェクタ装置に適用した場合の一実施形態について図面を参照して説明する。
【００１３】
図１は、本実施形態に係るプロジェクタ装置１０の概略機能構成を示す図である。  
入力部１１は、例えばピンジャック（ＲＣＡ）タイプのビデオ入力端子、Ｄ−ｓｕｂ１５タイプのＲＧＢ入力端子、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子などにより構成される。入力部１１に入力された各種規格のアナログまたはデジタルの画像信号は、入力部１１で必要に応じてデジタル化された後に、システムバスＳＢを介して画像変換部１２に送られる。
【００１４】
画像変換部１２は、スケーラあるいはフォーマッタとも称され、入力されるデジタル値の画像データを、投影に適した所定フォーマットの画像データに統一して投影処理部１３へ送る。
【００１５】
投影処理部１３は、送られてきた画像データに応じて、所定のフォーマットに従ったフレームレート、例えば１２０［フレーム／秒］と色成分の分割数、及び表示階調数を乗算した、より高速な時分割駆動により、空間的光変調素子であるマイクロミラー素子１４を表示するべく駆動する。
【００１６】
このマイクロミラー素子１４は、アレイ状に配列された複数、例えばＷＸＧＡ（Ｗｉｄｅ  ｅＸｔｅｎｄｅｄ  Ｇｒａｐｈｉｃ  Ａｒｒａｙ）（横１２８０画素×縦８００画素）分の微小ミラーの各傾斜角度を個々に高速でオン／オフ動作して画像を表示することで、その反射光により光像を形成する。
【００１７】
一方で、光源部１５から時分割でＲ，Ｇ，Ｂの原色光が循環的に出射される。この光源部１５からの原色光が、ミラー１６で全反射して上記マイクロミラー素子１４に照射される。
【００１８】
そして、マイクロミラー素子１４での反射光で光像が形成され、形成された光像が投影レンズ部１７を介して、投影対象となる図示しないスクリーンに投影表示される。
【００１９】
光源部１５は、青色のレーザ光を発するＬＤ（半導体レーザ）１８を有する。  
ＬＤ１８が発する青色のレーザ光（Ｂ）は、ミラー１９で反射され、ダイクロイックミラー２０を透過した後に蛍光ホイール２１の周面に照射される。この蛍光ホイール２１は、ホイールモータ（Ｍ）２２により回転されるもので、上記青色のレーザ光が照射されるリング状の周面全周に渡って蛍光体層２１ｇを形成している。
【００２０】
より詳細には、蛍光ホイール２１の上記レーザ光が照射される円周上に蛍光体を塗布することで蛍光体層２１ｇが形成される。蛍光ホイール２１の蛍光体層２１ｇが形成されている面の裏面には図示しない反射板が蛍光体層２１ｇと重なるように設けられている。
【００２１】
蛍光ホイール２１の蛍光体層２１ｇに青色のレーザ光が照射されることで、緑色光（Ｇ）が反射光として励起する。この緑色光は、上記ダイクロイックミラー２０で反射され、ダイクロイックミラー２３でも反射されて、インテグレータ２４で輝度分布が均一な光束とされた後に、ミラー２５で反射されて、上記ミラー１６に至る。
【００２２】
さらに光源部１５は、赤色光を発するＬＥＤ（発光ダイオード）２６、及び青色光を発するＬＥＤ２７を有する。  
ＬＥＤ２６が発する赤色光（Ｒ）は、上記ダイクロイックミラー２０を透過し、上記ダイクロイックミラー２３で反射された後、上記インテグレータ２４で輝度分布が均一な光束とされ、それから上記ミラー２５で反射されて、上記ミラー１６に至る。
【００２３】
ＬＥＤ２７が発する青色光（Ｂ）は、上記ダイクロイックミラー２３を透過し、上記インテグレータ２４で輝度分布が均一な光束とされた後に、上記ミラー２５で反射されて、上記ミラー１６に至る。
【００２４】
以上の如く、ダイクロイックミラー２０は、青色光，赤色光を透過する一方で、緑色光を反射する。ダイクロイックミラー２３は、青色光を透過する一方で、緑色光及び赤色光を反射する。  
投影処理部１３は、上記マイクロミラー素子１４での画像の表示による光像の形成、上記ＬＤ１８、ＬＥＤ２６，２７の各発光、上記ホイールモータ２２による蛍光ホイール２１の回転を、後述するＣＰＵ２９の制御の下に実行する。
【００２５】
上記各回路の動作すべてをＣＰＵ２９が制御する。このＣＰＵ２９は、メインメモリ３０及びプログラムメモリ３１と直接接続される。メインメモリ３０は、例えばＳＲＡＭで構成され、ＣＰＵ２９のワークメモリとして機能する。プログラムメモリ３１は、電気的に書換可能な不揮発性メモリで構成され、上記ＣＰＵ２９が実行する動作プログラムや各種定型データなどを記憶する。ＣＰＵ２９は、上記メインメモリ３０及びプログラムメモリ３１を用いて、このプロジェクタ装置１０内の制御動作を実行する。
【００２６】
上記ＣＰＵ２９は、操作部３２からのキー操作信号に応じて各種投影動作を実行する。  
この操作部３２は、プロジェクタ装置１０の本体に設けられるキー操作部と、このプロジェクタ装置１０専用の図示しないリモートコントローラからの赤外光を受光する赤外線受光部とを含み、ユーザが本体のキー操作部またはリモートコントローラで操作したキーに基づくキー操作信号をＣＰＵ２９へ直接出力する。
【００２７】
上記ＣＰＵ２９はさらに、上記システムバスＳＢを介して音声処理部３３とも接続される。音声処理部３３は、ＰＣＭ音源等の音源回路を備え、投影動作時にシステムバスＳＢを介して与えられる音声データをアナログ化し、スピーカ部３４を駆動して拡声放音させ、あるいは必要によりビープ音等を発生させる。
【００２８】
続いて、上記光源部１５とマイクロミラー素子１４、及び投影レンズ部１７を含む光学系のより具体的な構成例について図２により説明する。
【００２９】
図２において、ＬＤ１８は、複数、例えば８×４(紙面に垂直な方向)の計２４個のマトリックス状に配置されたＬＤアレイで構成され、それぞれの発光により出射された青色のレーザ光は、これも同数のミラーを、段差を設けてマトリックス状に配置したミラーアレイで構成されるミラー１９で反射される。
【００３０】
ミラー１９で反射された青色のレーザ光は、レンズ４１，４２、ダイクロイックミラー２０、レンズ４３，４４を介して蛍光ホイール２１に投射される。
【００３１】
蛍光ホイール２１の蛍光体層２１ｇ（図１参照）で励起した緑色光は、蛍光ホイール２１の蛍光体層２１ｇが形成されている面の裏面に設けられている図示しない反射板で反射され、上記レンズ４４，４３を介してダイクロイックミラー２０で反射され、レンズ４５を介した後にダイクロイックミラー２３で反射される。
【００３２】
このダイクロイックミラーホイール２３で反射された緑色光が、レンズ４６、インテグレータ２４、及びレンズ４７を介してミラー２５で反射され、さらにレンズ４８を介して上記ミラー１６に至る。
【００３３】
ミラー１６で反射された緑色光は、レンズ４９を介してマイクロミラー素子１４に照射され、このマイクロミラー素子１４で対応する色の光像が形成される。形成された光像は、上記レンズ４９を介して投影レンズ部１７側に出射される。
【００３４】
また、ＬＥＤ２６が発する赤色光は、レンズ５０，５１を介して上記ダイクロイックミラー２０を透過し、レンズ４５を介して上記ダイクロイックミラー２３で反射される。
【００３５】
ＬＥＤ２７が発する青色光は、レンズ５２，５３を介して上記ダイクロイックミラー２３を透過する。
【００３６】
次に図３を用いて上記発光素子であるＬＤ１８、ＬＥＤ２６、及びＬＥＤ２７の具体的な駆動回路構成について説明する。例えばＡＣ／ＤＣコンバータで構成される直流電源６１から第１のＤＣ／ＤＣコンバータ６２及び第２のＤＣ／ＤＣコンバータ６３にそれぞれ所定の電圧、例えば５．５［Ｖ］の直流電圧が印加される。
【００３７】
第１のＤＣ／ＤＣコンバータ６２及び第２のＤＣ／ＤＣコンバータ６３は共に、可変定電圧電源であり、上記ＬＤ１８駆動用の電圧Ｖｇ、ＬＥＤ２６駆動用の電圧Ｖｒ、及びＬＥＤ２７駆動用の電圧Ｖｂを、後述する電源制御部６４内の電圧電流制御部６４Ａからの制御信号に基づいて発生する。
【００３８】
第１のＤＣ／ＤＣコンバータ６２の発生する電圧は、ＦＥＴスイッチＳＷ１Ｒを介して上記ＬＥＤ２６のアノード、ＦＥＴスイッチＳＷ１Ｇを介して上記ＬＤ１８のアノード、及びＦＥＴスイッチＳＷ１Ｂを介して上記ＬＥＤ２７のアノードに印加される。ＬＥＤ２６、ＬＤ１８、及びＬＥＤ２７の各カソードは接地される。
【００３９】
同様に第２のＤＣ／ＤＣコンバータ６３の発生する電圧は、ＦＥＴスイッチＳＷ２Ｒを介して上記ＬＥＤ２６のアノード、ＦＥＴスイッチＳＷ２Ｇを介して上記ＬＤ１８のアノード、及びＦＥＴスイッチＳＷ２Ｂを介して上記ＬＥＤ２７のアノードに印加される。
【００４０】
そして、上記ＦＥＴスイッチＳＷ１Ｒ，ＳＷ１Ｇ，ＳＷ１Ｂ，ＳＷ２Ｒ，ＳＷ２Ｇ，ＳＷ２Ｂそれぞれのゲート端子に対して上記電源制御部６４のスイッチング制御部６４Ｂからオン／オフを制御するためのゲート信号が与えられる。
【００４１】
電源制御部６４は、上記電圧電流制御部６４Ａ及びスイッチング制御部６４Ｂを備える。電圧電流制御部６４Ａは、第１のＤＣ／ＤＣコンバータ６２及び第２のＤＣ／ＤＣコンバータ６３それぞれの発生電圧とその遷移タイミング、及び電流値を制御する。
【００４２】
スイッチング制御部６４Ｂは、上記ＦＥＴスイッチＳＷ１Ｒ，ＳＷ１Ｇ，ＳＷ１Ｂ，ＳＷ２Ｒ，ＳＷ２Ｇ，及びＳＷ２Ｂの各ゲート端子に与える信号によりこれらスイッチをオン／オフさせることで、各発光素子の発光タイミングと供給電力を選択的に制御する。
【００４３】
電源制御部６４は、上記図１の投影処理部１３内に設けられ、ＣＰＵ２９からの制御指示に基づいて電圧電流制御部６４Ａ及びスイッチング制御部６４ＢによりＬＥＤ２６、ＬＤ１８、及びＬＥＤ２７の発光駆動を実行させる。
【００４４】
上記のような回路構成にあって、その動作を以下に示す。  
図４は、上記図３に示した回路構成での各所の電圧波形を示すタイミングチャートである。なお本動作では、上記ＬＤ１８駆動用の電圧Ｖｇ、ＬＥＤ２６駆動用の電圧Ｖｒ、及びＬＥＤ２７駆動用の電圧Ｖｂの電圧値が、「Ｖｒ＜Ｖｇ＜Ｖｂ」の関係を有する場合を例にとって説明する。
【００４５】
本実施形態では、投影するカラー画像の１フレームが「Ｒ（赤色画像）フィールド」「Ｇ（緑色画像）フィールド」「Ｂ（青色画像）フィールド」の３フィールドから構成され、図に示すタイミングｔ１からｔ２までの１フレームと、タイミングｔ２からｔ３までの１フレーム、合計２フレーム（以下「第１フレーム」「第２フレーム」と称する）を単位として光源側で同様の駆動パターンを繰返し実行して原色光を発するものとする。
【００４６】
図４（Ａ）に示すように電圧電流制御部６４Ａは第１のＤＣ／ＤＣコンバータ６２に対し、上記タイミングｔ１からｔ３までの２フレームの期間中に、定電圧「Ｖｒ」「Ｖｂ」「Ｖｇ」を順次出力するように切換える。
【００４７】
より正確には、第１のＤＣ／ＤＣコンバータ６２の出力する電圧が電圧Ｖｇから電圧Ｖｒまで遷移し、安定した電圧Ｖｒが供給できるようになるまでの遷移時間をＴｓｇｒとした場合、電圧電流制御部６４Ａは上記タイミングｔ１から遷移時間Ｔｓｇｒ分だけ前のタイミングで第１のＤＣ／ＤＣコンバータ６２に対して出力電圧をＶｇからＶｒに可変するよう指示する。
【００４８】
また、第１フレームのＢフィールドに合わせて、電圧Ｖｒから電圧Ｖｂまで遷移し、安定した電圧Ｖｂが供給できるようになるまでの遷移時間をＴｓｒｂとした場合、電圧電流制御部６４Ａは第１フレームのＢフィールドが始まるタイミングｔ１１から遷移時間Ｔｓｒｂ分だけ前のタイミングで第１のＤＣ／ＤＣコンバータ６２に対して出力電圧をＶｒからＶｂに可変するよう指示する。
【００４９】
さらに第２フレームのＧフィールドに合わせて、電圧Ｖｂから電圧Ｖｇまで遷移し、安定した電圧Ｖｇが供給できるようになるまでの遷移時間をＴｓｂｇとした場合、電圧電流制御部６４Ａは第２フレームのＧフィールドが始まるタイミングｔ１２から遷移時間Ｔｓｂｇ分だけ前のタイミングで第１のＤＣ／ＤＣコンバータ６２に対して出力電圧をＶｂからＶｇに可変するよう指示する。
【００５０】
また図４（Ｂ）に示すように電圧電流制御部６４Ａは第２のＤＣ／ＤＣコンバータ６３に対し、上記タイミングｔ１からｔ３までの２フレームの期間中に、上記第１のＤＣ／ＤＣコンバータ６２の出力パターンから色切り替えに関する約１フィールド分だけ遅延するようにした位相で定電圧「Ｖｇ」「Ｖｒ」「Ｖｂ」を順次出力するように切換える。
【００５１】
より正確には、第２のＤＣ／ＤＣコンバータ６３の出力する電圧が電圧Ｖｂから電圧Ｖｇまで遷移し、安定した電圧Ｖｇが供給できるようになるまでの遷移時間をＴｓｂｇとした場合、電圧電流制御部６４Ａは第１フレームのＧフィールドが開始するタイミングｔ２１から遷移時間Ｔｓｂｇ分だけ前のタイミングで第２のＤＣ／ＤＣコンバータ６３に対して出力電圧をＶｇからＶｒに可変するよう指示する。
【００５２】
また、第２フレームのＲフィールドに合わせて、電圧Ｖｇから電圧Ｖｒまで遷移し、安定した電圧Ｖｒが供給できるようになるまでの遷移時間をＴｓｇｒとした場合、電圧電流制御部６４Ａは第２フレームが始まるタイミングｔ２から遷移時間Ｔｓｇｒ分だけ前のタイミングで第２のＤＣ／ＤＣコンバータ６３に対して出力電圧をＶｇからＶｒに可変するよう指示する。
【００５３】
さらに第２フレームのＢフィールドに合わせて、電圧Ｖｒから電圧Ｖｂまで遷移し、安定した電圧Ｖｂが供給できるようになるまでの遷移時間をＴｓｒｂとした場合、電圧電流制御部６４Ａは第２フレームのＢフィールドが始まるタイミングｔ２２から遷移時間Ｔｓｒｂ分だけ前のタイミングで第２のＤＣ／ＤＣコンバータ６３に対して出力電圧をＶｒからＶｂに可変するよう指示する。
【００５４】
一方で電源制御部６４のスイッチング制御部６４Ｂは第１フレームにおいて、図４（Ｃ）に示すようにＲフィールド期間に合わせてスイッチＳＷ１Ｒを、図４（Ｆ）に示すようにＧフィールド期間に合わせてスイッチＳＷ２Ｇを、図４（Ｇ）に示すようにＢフィールド期間に合わせてスイッチＳＷ１Ｂをそれぞれ間断なくオン（導通）させることで、ＲフィールドではＬＥＤ２６に遷移時間を含まない安定した定電圧Ｖｒを、ＧフィールドではＬＤ１８に定電圧Ｖｇを、そしてＢフィールドに合わせてＬＥＤ２７に定電圧Ｖｂを、それぞれ印加して所望の安定した電力で間断なく発光させることができる。
【００５５】
同様にスイッチング制御部６４Ｂは第２フレームにおいて、図４（Ｄ）に示すようにＲフィールド期間に合わせてスイッチＳＷ２Ｒを、図４（Ｅ）に示すようにＧフィールド期間に合わせてスイッチＳＷ１Ｇを、そして図４（Ｈ）に示すようにＢフィールド期間に合わせてスイッチＳＷ２Ｂを、それぞれ印加して所望の安定した電力で間断なく発光動作させることができる。
【００５６】
このように２つのＤＣ／ＤＣコンバータ６２，６３の各電圧遷移期間が重複しないように制御しながらその出力を交互に切換えて発光素子側に供給させて使用することで、それぞれ動作電圧が異なる３つの負荷２６，１８，２７を順次間断なく連続して安定した状態で駆動させることができる。
【００５７】
（他の実施形態）  
次いで本発明の他の実施形態について図面を参照して説明する。  
図５は、１つの負荷毎に異なる電圧で駆動する場合の具体的な回路構成を示す図である。同図では、第１の負荷Ｌ１と第２の負荷Ｌ２の計２個の負荷をそれぞれ異なる電圧で駆動するものとする。具体的には、第１の負荷Ｌ１を電圧Ｖ１またはＶ２で駆動する。第２の負荷Ｌ２を電圧Ｖ１またはＶ３で駆動する。
【００５８】
例えばＡＣ／ＤＣコンバータで構成される直流（ＤＣ）電源７１から第１のＤＣ／ＤＣコンバータ７２及び第２のＤＣ／ＤＣコンバータ７３にそれぞれ所定の電圧、例えば５．５［Ｖ］の直流電圧が印加される。
【００５９】
第１のＤＣ／ＤＣコンバータ７２及び第２のＤＣ／ＤＣコンバータ７３は共に、可変定電圧電源であり、上記第１の負荷Ｌ１と第２の負荷Ｌ２駆動用の電圧Ｖ１，Ｖ２，Ｖ３を、後述する電源制御部７４内の電圧電流制御部７４Ａからの制御信号に基づいて発生する。
【００６０】
第１のＤＣ／ＤＣコンバータ７２の発生する電圧は、ＦＥＴスイッチＳＷ１１を介して上記第１の負荷Ｌ１に印加される。第２のＤＣ／ＤＣコンバータ７３の発生する電圧は、ＦＥＴスイッチＳＷ２２を介して上記第２の負荷Ｌ２に印加される。
【００６１】
そして、上記ＦＥＴスイッチＳＷ１１，ＳＷ２２それぞれのゲート端子に対して上記電源制御部７４のスイッチング制御部７４Ｂからオン／オフを制御するためのゲート信号が与えられる。
【００６２】
電源制御部７４は、上記電圧電流制御部７４Ａ及びスイッチング制御部７４Ｂを備える。電圧電流制御部７４Ａは、第１のＤＣ／ＤＣコンバータ７２及び第２のＤＣ／ＤＣコンバータ７３それぞれの発生電圧とその遷移タイミング、及び電流値を制御する。
【００６３】
スイッチング制御部７４Ｂは、上記ＦＥＴスイッチＳＷ１１，ＳＷ２２の各ゲート端子に与える信号によりこれらスイッチをオン／オフさせることで、各負荷の駆動状態を選択的に制御する。
【００６４】
上記のような回路構成にあって、その動作を以下に説明する。  
図６は、上記図５に示した回路構成での各所の電圧波形を示すタイミングチャートである。なお本動作では、上記第１の負荷Ｌ１駆動用の電圧Ｖ１，Ｖ２、第２の負荷Ｌ２駆動用の電圧Ｖ１，Ｖ３の電圧値が、「Ｖ１＜Ｖ３＜Ｖ２」の関係を有する場合を例にとって説明する。
【００６５】
本実施形態では、図に示すタイミングｔ３１からｔ３２までの１サイクルを単位とし、
第１フェーズ：第１の負荷Ｌ１を電圧Ｖ１  
第２フェーズ：第２の負荷Ｌ２を電圧Ｖ３  
第３フェーズ：第１の負荷Ｌ１を電圧Ｖ２  
第４フェーズ：第２の負荷Ｌ２を電圧Ｖ１  
として計４フェーズに時分割して第１の負荷Ｌ１と第２の負荷Ｌ２を同様のパターンで繰返し駆動するものとする。なお、ここで各フェーズの時間長は、図示する如く均等ではなくとも良いものとする。
【００６６】
図６（Ａ）に示すように電圧電流制御部７４Ａは第１のＤＣ／ＤＣコンバータ７２に対し、上記タイミングｔ３１からｔ３２までの１サイクルの期間中に、定電圧「Ｖ１」「Ｖ２」を順次出力するように切換える。
【００６７】
より正確には、第１のＤＣ／ＤＣコンバータ７２の出力する電圧が電圧Ｖ２から電圧Ｖ１まで遷移し、安定した電圧Ｖ１が供給できるようになるまでの遷移時間をＴｓ２１とした場合、電圧電流制御部７４Ａは直前のサイクルの末尾の、上記タイミングｔ３１から遷移時間Ｔｓ２１分だけ前のタイミングで第１のＤＣ／ＤＣコンバータ７２に対して出力電圧をＶ２からＶ１に可変するよう指示する。
【００６８】
その後、第３フェーズに合わせて、電圧Ｖ１から電圧Ｖ２まで遷移し、安定した電圧Ｖ２が供給できるようになるまでの遷移時間をＴｓ１２とした場合、電圧電流制御部７４Ａは第３フェーズが始まるタイミングｔ３３から遷移時間Ｔｓ１２分だけ前のタイミングで第１のＤＣ／ＤＣコンバータ７２に対して出力電圧をＶ１からＶ２に可変するよう指示する。
【００６９】
また図４（Ｂ）に示すように電圧電流制御部７４Ａは第２のＤＣ／ＤＣコンバータ７３に対し、上記タイミングｔ３１からｔ３３までの１サイクルの期間中に、上記第１のＤＣ／ＤＣコンバータ７２の出力パターンから約１フェーズ分遅延するようにした位相で定電圧「Ｖ３」「Ｖ１」を順次出力するように切換える。
【００７０】
より正確には、第２のＤＣ／ＤＣコンバータ７３が電圧Ｖ１から電圧Ｖ３まで遷移し、安定した電圧Ｖ３が供給できるようになるまでの遷移時間をＴｓ１３とした場合、電圧電流制御部７４Ａは第２フェーズが開始するタイミングｔ４１から遷移時間Ｔｓ１３分だけ前のタイミングで第２のＤＣ／ＤＣコンバータ７３に対して出力電圧をＶ１からＶ３に可変するよう指示する。
【００７１】
その後、第４フェーズに合わせて、電圧Ｖ３から電圧Ｖ１まで遷移し、安定した電圧Ｖ１が供給できるようになるまでの遷移時間をＴｓ３１とした場合、電圧電流制御部７４Ａは第４フェーズが始まるタイミングｔ４２から遷移時間Ｔｓ３１分だけ前のタイミングで第２のＤＣ／ＤＣコンバータ７３に対して出力電圧をＶ３からＶ１に可変するよう指示する。
【００７２】
一方で電源制御部７４のスイッチング制御部７４Ｂは、図６（Ｃ）に示すように第１フェーズ及び第３フェーズに合わせてスイッチＳＷ１１を、図６（Ｄ）に示すように第２フェーズ及び第４フェーズに合わせてスイッチＳＷ２２をそれぞれ間断なくオンさせることで、第１フェーズには第１の負荷Ｌ１に定電圧Ｖ１を、第２フェーズには第２の負荷Ｌ２に定電圧Ｖ３を、第３フェーズには第１の負荷Ｌ１に定電圧Ｖ２を、そして第４フェーズには第２の負荷Ｌ２に定電圧Ｖ１を、それぞれ印加して所望の安定した電力で間断なく駆動させることができる。
【００７３】
このように２つのＤＣ／ＤＣコンバータ６２，６３の各電圧遷移期間が重複しないように制御しながらその出力を交互に切換えて２つの負荷Ｌ１，Ｌ２に供給させて駆動することで、複数の動作電圧を切換え、順次間断なく連続して安定した状態で各負荷を駆動させることができる。
【００７４】
以上詳記した如く一実施形態及び他の実施形態のいずれにおいても、必要とするＤＣ／ＤＣコンバータの数を最小限の２としながらも、複数の定電圧の電力を高速に切換えて供給することが可能となる。
【００７５】
特に上記一実施形態では、ＤＣ／ＤＣコンバータ６２，６３の出力する３つの電圧Ｖｒ，Ｖｇ，Ｖｂのいずれかを間断なく負荷のいずれかに供給させるものとしたので、その駆動パターンを、２周期（２フレーム）を単位として繰返し実行することで実現でき、制御動作を簡易化できる。
【００７６】
また上記各実施形態では、共に可変定電力電源である第１のＤＣ／ＤＣコンバータ６２（７２）と第２のＤＣ／ＤＣコンバータ６３（７３）を交互に周期的に選択して切換えるように電圧電流制御部６４Ａ（７４Ａ）で制御するものとしたので、周期的な稼働により電圧電流制御部６４Ａ（７４Ａ）の負担を軽減してその構成を簡易化できる。
【００７７】
さらに上記各実施形態では、第１のＤＣ／ＤＣコンバータ６２（７２）と第２のＤＣ／ＤＣコンバータ６３（７３）を電圧電流制御部６４Ａ（７４Ａ）が共通して制御するものとしたので、制御系統の小型化を図ることができる。
【００７８】
なお上記各実施形態では説明しなかったが、共に可変定電力電源である第１のＤＣ／ＤＣコンバータ６２（７２）と第２のＤＣ／ＤＣコンバータ６３（７３）のうち、実際に供給する電力が負荷側で利用されていない側の電源を、次に起動して供給電力が安定するまでの遷移期間を考慮して一時的に休止させるように制御しても良い。例えば、図４において、第１のＤＣ／ＤＣコンバータ６２は、ｔ２１からＴｓｒｂの始まりの時間までの期間等は、休止させることができる。  
こうすることで、特に共に電源が電力消費量に制限のある電池を使用する装置などで無駄な電力消費を抑えて電源を有効に活用できる。
【００７９】
また、スイッチング制御部６４Ｂ（７４Ｂ）を、ＦＥＴスイッチＳＷ１Ｂ，ＳＷ１Ｇ，ＳＷ１Ｒ，ＳＷ２Ｂ，ＳＷ２Ｇ，ＳＷ２Ｒ，（ＳＷ１１，ＳＷ２２）を、電力の遷移期間を考慮した上で相互にずらして導通させることにより、複数の定電圧の電力を高速に切換える動作を容易に実現できる。
【００８０】
さらに上記一実施形態では、負荷として半導体発光素子であるＬＤ１８、ＬＥＤ２６，２７を駆動する場合について説明したが、この種の高速応答する半導体発光素子を負荷として使用する場合に、各素子の切換時にも全体として間断なく安定して駆動状態を維持することが可能となる点で、本発明は好適に用いることができる。
【００８１】
なお上記各実施形態では主として負荷に供給する電力のうち電圧を可変する定電圧電源の場合について説明したが、本発明はこれに限らず、負荷に供給する電流の制御を行なう定電流電源の場合にも同様に適用可能である。すなわち、本発明は、定電力電源として適用可能である。
【００８２】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００８３】
以下に、本願出願の当初の特許請求の範囲に記載された発明を付記する。  
請求項１記載の発明は、ｊ（ｊは２以上の自然数）種類の電力を切換えて供給する第１の可変定電力電源と、ｋ（ｋは２以上の自然数）種類の電力を切換えて供給する第２の可変定電力電源と、上記第１及び第２の可変定電力電源をそれぞれの電力遷移期間を外すように選択して切換えて定電力を負荷に供給させる切換制御手段とを具備したことを特徴とする。
【００８４】
請求項２記載の発明は、上記請求項１記載の発明において、上記切換制御手段は、上記第１の可変定電力電源と上記第２の可変電力電源とを交互に周期的に選択するように切換えることを特徴とする。
【００８５】
請求項３記載の発明は、上記請求項１または２記載の発明において、上記第１の可変定電力電源を上記ｊ種類の電力で、上記第２の可変定電力電源を上記ｋ種類の電力でそれぞれ電力遷移期間が重ならないように制御する電力制御手段をさらに具備したことを特徴とする。
【００８６】
請求項４記載の発明は、上記請求項１乃至３いずれか記載の発明において、上記切換制御手段により負荷に電力を供給していない第１及び第２の可変定電力電源の一方を休止させる休止制御手段をさらに具備したことを特徴とする。
【００８７】
請求項５記載の発明は、上記請求項１乃至４いずれか記載の発明において、上記切換制御手段は、複数のスイッチング素子を含み、当該複数のスイッチング素子を相互にずらして導通させ、上記第１及び第２の可変定電力電源の少なくとも一方の出力する定電力を負荷に供給させることを特徴とする。
【００８８】
請求項６記載の発明は、上記請求項１乃至５いずれか記載の発明において、上記負荷は半導体発光素子であることを特徴とする。
【００８９】
請求項７記載の発明は、それぞれ駆動電力が異なる第１乃至第３の負荷に電力を供給する電源装置であって、上記第１の負荷用の第１の定電力、上記第２の負荷用の第２の定電力、及び上記第３の負荷用の第３の定電力を、各定電力間の遷移期間を経て循環的に切換えて出力する第１の可変定電力電源と、上記第１の可変定電力電源の上記第１の定電力から上記第２の定電力への遷移期間を含んで上記第３の定電力を、上記第１の可変定電力電源の上記第２の定電力から上記第３の定電力への遷移期間を含んで上記第１の定電力を、上記第１の可変定電力電源の上記第３の定電力から上記第１の定電力への遷移期間を含んで上記第２の定電力を、各定電力間の遷移期間を経て循環的に切換えて出力する第２の可変定電力電源と、上記第１の負荷に、上記第１及び第２の可変定電力電源からそれぞれ上記遷移期間を含まない上記第１の定電力を交互に供給し、上記第２の負荷に、上記第１及び第２の可変定電力電源からそれぞれ上記遷移期間を含まない上記第２の定電力を交互に供給し、上記第３の負荷に、上記第１及び第２の可変定電力電源からそれぞれ上記遷移期間を含まない上記第３の定電力を交互に供給するように、上記第１及び第２の可変定電力電源の出力を切換える切換制御手段とを具備したことを特徴とする。
【００９０】
請求項８記載の発明は、上記請求項７記載の発明において、上記切換制御手段は、上記第１及び第２の可変定電力電源の出力する第１乃至第３の定電力のいずれかを間断なく上記第１乃至第３の負荷のいずれかに供給させることを特徴とする。
【００９１】
請求項９記載の発明は、上記請求項７または８記載の発明において、上記第１及び上記第２の可変電力電源をそれぞれ上記３種類の定電力でそれぞれ電力遷移期間が重ならないように制御する電力制御手段をさらに具備したことを特徴とする。
【００９２】
請求項１０記載の発明は、上記請求項７乃至９いずれか記載の発明において、上記切換制御手段により負荷に定電力を供給していない第１及び第２の可変電力電源の一方を休止させる休止制御手段をさらに具備したことを特徴とする。
【００９３】
請求項１１記載の発明は、上記請求項７乃至１０何れか記載の発明において、上記切換制御手段は、６個のスイッチング素子の切換タイミングを相互にずらして操作し、上記第１及び第２の可変定電力電源の少なくとも一方の出力する定電力を負荷に供給させることを特徴とする。
【００９４】
請求項１２記載の発明は、上記請求項７乃至１１いずれか記載の発明において、上記第１乃至第３の負荷は半導体発光素子であることを特徴とする。
【００９５】
請求項１３記載の発明は、ｊ（ｊは２以上の自然数）種類の電力を切換えて供給する第１の可変定電力電源、ｋ（ｋは２以上の自然数）種類の電力を切換えて供給する第２の可変定電力電源、及び上記第１及び第２の可変定電力電源をそれぞれの電力遷移期間を外すように選択して切換えて定電力を供給させる切換制御手段を備えた電源部と、上記電源部から供給される電力により動作する負荷とを具備したことを特徴とする。
【００９６】
請求項１４記載の発明は、それぞれ駆動電力が異なる第１乃至第３の負荷に電力を供給する電源部を備えた電子機器であって、上記電源部は、上記第１の負荷用の第１の定電力、上記第２の負荷用の第２の定電力、及び上記第３の負荷用の第３の定電力を、各定電力間の遷移期間を経て循環的に切換えて出力する第１の可変定電力電源と、上記第１の可変定電力電源の上記第１の定電力から上記第２の定電力への遷移期間を含んで上記第３の定電力を、上記第１の可変定電力電源の上記第２の定電力から上記第３の定電力への遷移期間を含んで上記第１の定電力を、上記第１の可変定電力電源の上記第３の定電力から上記第１の定電力への遷移期間を含んで上記第２の定電力を、各定電力間の遷移期間を経て循環的に切換えて出力する第２の可変定電力電源と、上記第１の負荷に、上記第１及び第２の可変定電力電源からそれぞれ上記遷移期間を含まない上記第１の定電力を交互に供給し、上記第２の負荷に、上記第１及び第２の可変定電力電源からそれぞれ上記遷移期間を含まない上記第２の定電力を交互に供給し、上記第３の負荷に、上記第１及び第２の可変定電力電源からそれぞれ上記遷移期間を含まない上記第３の定電力を交互に供給するように、上記第１及び第２の可変定電力電源の出力を切換える切換制御手段とを含むことを特徴とする。
【００９７】
請求項１５記載の発明は、ｊ（ｊは２以上の自然数）種類の電力を切換えて供給する第１の可変定電力電源と、ｋ（ｋは２以上の自然数）種類の電力を切換えて供給する第２の可変定電力電源とを備えた装置での電源制御方法であって、上記第１及び第２の可変定電力電源をそれぞれの電力遷移期間を外すように選択して切換えて定電力を負荷に供給させる切換制御工程を有したことを特徴とする。
【００９８】
請求項１６記載の発明は、それぞれ駆動電力が異なる第１乃至第３の負荷に電力を供給する電源部を備えた装置での電源制御方法であって、上記電源部は、上記第１の負荷用の第１の定電力、上記第２の負荷用の第２の定電力、及び上記第３の負荷用の第３の定電力を、各定電力間の遷移期間を経て循環的に切換えて出力する第１の可変定電力電源と、上記第１の可変定電力電源の上記第１の定電力から上記第２の定電力への遷移期間を含んで上記第３の定電力を、上記第１の可変定電力電源の上記第２の定電力から上記第３の定電力への遷移期間を含んで上記第１の定電力を、上記第１の可変定電力電源の上記第３の定電力から上記第１の定電力への遷移期間を含んで上記第２の定電力を、各定電力間の遷移期間を経て循環的に切換えて出力する第２の可変定電力電源とを含み、上記第１の負荷に、上記第１及び第２の可変定電力電源からそれぞれ上記遷移期間を含まない上記第１の定電力を交互に供給し、上記第２の負荷に、上記第１及び第２の可変定電力電源からそれぞれ上記遷移期間を含まない上記第２の定電力を交互に供給し、上記第３の負荷に、上記第１及び第２の可変定電力電源からそれぞれ上記遷移期間を含まない上記第３の定電力を交互に供給するように、上記第１及び第２の可変定電力電源の出力を切換える切換制御工程を有したことを特徴とする電源制御方法。
【符号の説明】
【００９９】
１０…プロジェクタ装置、１１…入力部、１２…画像変換部、１３…投影処理部、１４…マイクロミラー素子、１５…光源部、１６…ミラー、１７…投影レンズ部、１８…（青色発光用）ＬＤ、１９…ミラー、２０…ダイクロイックミラー、２１…蛍光ホイール、２１ｇ…蛍光体層、２２…ホイールモータ（Ｍ）、２３…ダイクロイックミラー、２４…インテグレータ、２５…ミラー、２６…（赤色発光用）ＬＥＤミラー、２７…（青色発光用）ＬＥＤ、２９…ＣＰＵ、３０…メインメモリ、３１…プログラムメモリ、３２…操作部、３３…音声処理部、３４…スピーカ部、４１〜５３…レンズ、６１…直流電源、６２…第１のＤＣ／ＤＣコンバータ、６３…第２のＤＣ／ＤＣコンバータ、６４…電源制御部、６４Ａ…電圧電流制御部、６４Ｂ…スイッチング制御部、７１…直流電源、７２…第１のＤＣ／ＤＣコンバータ、７３…第２のＤＣ／ＤＣコンバータ、７４…電源制御部、電圧電流制御部７４Ａ…、７４Ｂ…スイッチング制御部、Ｌ１…第１の負荷、Ｌ２…第２の負荷、ＳＢ…システムバス、ＳＷ１Ｂ，ＳＷ１Ｇ，ＳＷ１Ｒ，ＳＷ１１，ＳＷ２Ｂ，ＳＷ２Ｇ，ＳＷ２Ｒ，ＳＷ２２…ＦＥＴスイッチ。
【図１】
2014023353.tif 000003
【図２】
2014023353.tif 000004
【図３】
2014023353.tif 000005
【図４】
2014023353.tif 000006
【図５】
2014023353.tif 000007
【図６】
2014023353.tif 000008